(57)【特許請求の範囲】
【請求項１】
井戸（Ｐ）又は管内に管を付設又は密閉する半径方向に変形できる膨張可能の管状スリーブ（１、５、８）において、上記管状スリーブの両端を閉鎖する横断壁（11、12）と、互いに軸方向にオフセットされ、圧力下の内部流体で膨張されたときスリーブの長手方向に順次破断される、一連の破断可能な抑制リング（２、６、９）を有し、上記抑制リングは、破断後、膨張されたスリーブに半径方向に順応するように十分可撓性を有することを特徴とする、井戸又は管内に管を付設又は密閉する半径方向に変形できる膨張可能の管状スリーブ。
【請求項２】
前記抑制リング（２、６、９）は互いに一定の間隔ｅで規則的に離間していることを特徴とする、請求項１記載のスリーブ。
【請求項３】
リングのない区分（1B、8B）を有することを特徴とする、請求項１又は２記載のスリーブ。
【請求項４】
他のリング（６）より実質的に破断閾値が低いリング（７）を有することを特徴とする、請求項１又は２記載のスリーブ。
【請求項５】
リングのない又は破断閾値が低いリング（７）を有する前記区分（1B、5B）は前記スリーブの中央区域であることを特徴とする、請求項３又は４記載のスリーブ。
【請求項６】
リングのない又は破断閾値が低いリングを有する前記区分（8B）は前記スリーブの中央区域であることを特徴とする、請求項３又は４記載のスリーブ。
【請求項７】
前記リング（２、６、７、９）はトロイダル形状であることを特徴とする、請求項１乃至６のいずれかに記載のスリーブ。
【請求項８】
前記リング（２、６、７、９）はスリーブの内側に埋め込まれていることを特徴とする、請求項１乃至７のいずれかに記載のスリーブ。
【請求項９】
前記スリーブは、スリーブ全体にわたって均一の機械的特性を有する合成エラストマー材料からなることを特徴とする、請求項１乃至８のいずれかに記載のスリーブ。
【請求項１０】
前記スリーブは、井戸（Ｐ）又は管の内に管（３′）付設するため本来の場所で硬化する可撓性且つ半径方向に変形可能の予備成型体（３）を拡張するための道具を達成することを特徴とする、請求項１乃至９のいずれかに記載のスリーブ。
【請求項１１】
前記スリーブは最初予備成型体（３）に取り付けられ、作業終了後引き出されることを特徴とする、請求項10記載のスリーブ。
【請求項１２】
前記スリーブは井戸（Ｐ）又は管を密閉する道具を構成することを特徴とする、請求項１乃至９のいずれかに記載のスリーブ。
【請求項１３】
前記スリーブは、井戸（Ｐ）又は管の内に管（３′）付設するため本来の場所で硬化する可撓性且つ半径方向に変形可能の予備成型体（３）を構成することを特徴とする、請求項１乃至９のいずれかに記載のスリーブ。
【発明の詳細な説明】
本発明は、井戸又は管の内に管を付設又は密閉するための膨脹可能の管状スリーブに関する。
本来の場所で硬化される可撓性管状予備成型体は、石油掘削井に管を付設するため並びに類似の用途に既に提案されている。それは半径方向に折り曲げられた即ち非拡張状態の所定位置に設置され、その状態ではそれは半径方向の全寸法が小さく、次いで例えば重合により本来の場所で硬化される前に、内部圧力が印加されることにより広がる及び又は半径方向に拡張されるものである。
この型の予備成型体は例えばPCT特許出願91/18180、PCT特許出願94/21887及びPCT特許出願94/25655号明細書に記載されている。
“半径方向に変型可能”という表現は、簡単に広げることにより半径方向に展開する（例えばPCT特許出願91/18180号明細書に記載の予備成型体の場合）スリーブについて、又は内部圧力の影響に基づいて直径が増加することにより（広げることなく）半径方向に簡単に拡張するスリーブについて、又は継続的に広げられ次いで拡張する（例えばPCT特許出願94/25655号明細書に記載されているマトリックス及び予備成型体の場合）スリーブについて使用される。
本発明は予備成型体を拡張するための道具として使用されるスリーブとして着想され、この道具は前述のPCT特許出願94/25655号明細書に記載されているマトリックスと呼ばれる予備成型された拡張道具と同様な一般的な型であり、このマトリックスは最初に予備成型体に取り付けられ、この予備成型体の内側に装着される。マトリックス／予備成型体の結合体の膨脹且つ予備成型体の凝固の後にマトリックスは引き出される。
しかしながら本発明は液体の漏洩を阻止するため井戸の壁を密閉する道具として使用されるスリーブにも同様に適用され、この道具は当業者では通常“パッカ”として知られている。
一つの可能な実施の形態では、本発明の主題であるスリーブは予備成型体それ自体からなる。
前述の種類のスリーブを壁又は管内で半径方向に変形する（広げる及び又は拡張により）作業中、予備成型体の拡張が非制御状態で行われたら、スリーブと井戸の又は管の壁の間に閉じ込められた液体のポケットを形成する危険が生ずる。石油掘削及び同様な用途においては、井戸又は管が水、泥又は他の液体で充填されることは普通である。
囲繞するスリーブ又は予備成型体は井戸又は管の壁に対して正確に押圧されなく、得られた管は完全に円筒でなく且つ強固に固着されている訳でないので、前述のことは明白な問題である。
かかる欠点を克服するため、密閉道具（パッカ）を備える膨脹可能の膜の場合、膜−又はスリーブの材料（合成ゴムを基礎とする）の組成を一端から他方へ変化することにより、半径方向の拡張に対する抵抗が漸進的に変化する試みが行われた。従って加圧下の流体が道具に導入された時、膜は道具の一端から他方へ漸進的に拡張し、拡張に対する抵抗が最大の端部即ち拡張が最後に起こる端部に対して拡張進行中、膜と井戸又は管の間に閉じ込められた液体を規則正しい方法で押し出していく。
この技術の原理は満足するものであるが、スリーブの材料の組成が製品全体で同じでないことは実施が困難で且つ高価で、組成が変化していることは制御が困難で、最も重要なことは長いスリーブに適用できないことである。
このような理由で、本発明の目的は特に石油工業用の井戸又は管の内に管を付設するための使用に適した前述の種類のスリーブを提供するもので、該スリーブはその全長に亘り全体的に且つ独立的に制御できる方法で一端から他端へ漸進的に拡張する構体を有するものである。
本発明によれば、このことはスリーブの壁に互いに軸方向にオフセットした一連の同一の破断可能の抑制リングを設け、且つスリーブが加圧下の内部流体により膨脹した時該リングはスリーブの長手方向に順次破断することにより達成できる。
本発明によれば多くの利点ある非制限的な特徴を提供する。
前記リングは互いに一定の距離規則正しく離間している。
前記スリーブはリングのない区分を有している。
前記スリーブは他のリングより破断閾値が実質的に低いリングを備える区分を有している。
リングのない又は破断閾値が低いリングを有する前記区分はスリーブの端部区域にある。
リングのない又は破断閾値が低いリングを有する前記区分はスリーブの中央区域にある。
前記リングはトロイダル（ドーナツ）形状である。
前記リングはスリーブの壁の内に埋め込められる。
前記スリーブは合成エラストマー材料からなる。
前記スリーブは井戸又は管の内に管を付設するため本来の場所で硬化する可撓性且つ半径方向に変形できる予備成型体を拡張するための道具を構成する。
前記スリーブは最初予備成型体に取り付けられ且つ作業の終了で引き出される。
前記スリーブは井戸又は管を密閉する道具（“パッカ”）を構成する。
前記スリーブは本来の場所で硬化し凝固した後井戸又は管の内に管を付設する可撓性且つ半径方向に変形できる予備成型体を構成する。
本発明の他の特徴及び利点は本発明の限定されない実施の形態の一つの例に示す記載並びに添付図面から明瞭にする。
図１は本来の場所で硬化し得る可撓性予備成型体の内側に適合する本発明による膨脹可能の管状スリーブを有する結合体の長手方向断面図である。
図２、３は夫々半径方向に拡張する前、後の図１の予備成型体の断面図である。
図４乃至８は図１と２に示す結合体に使用する井戸に管を付設する各種のステップを示す概略図である。
図９と10は図１のスリーブの各種変形を表す（組み合わされた予備構成体がない）概略図である。
以下本発明を図示する実施の形態について説明する。
図１は重合により本来の場所−井戸又は管の内部−で硬化し得る可撓性予備成型体を拡張する道具１を示す。
この道具１−又はマトリックス−は円筒壁10を有する全体的に細長い形状の円筒管状スリーブからなる。スリーブは両端が横断壁11、12により閉塞され、その壁の１つ−この場合は壁11−は壁を貫通し密閉するノズル４を備え、そのノズルはスリーブを半径方向に拡張するためスリーブの内部に加圧流体例えば水を導入する管40に連結されている。
スリーブの材料は例えば合成ゴム（エラストマー）又はエラストマーを基礎にした材料である。材料は同一で且つその機械的特性はスリーブの全長に亘って正確に同一で、それにより長いものが製造できる。
スリーブ１は、最初可撓性があり重合により本来の場所で硬化し得る管状予備成型体３の内部に挿入される。
予備成型体は最初は流体（順応性がある）で、重合するために加熱することにより硬化される樹脂30で作られた壁を有する。この樹脂は可撓性弾性材料の外側皮31と、内部皮として働くスリーブの壁10との間に閉じ込められる。
結合体は軸XX′を有する。
結合体の同様な全般的な型はPCT特許出願94/25655号明細書（特に図９乃至12）に記載されている。
図示しない一時的連結装置が最初スリーブ１を取り巻く予備成型体３に取り付けられる。それは作動の終りに（予備成型体が硬化された後）破断され、以下説明するように内部スリーブが引っ張り出される。
本発明の一つの主要な特徴は、スリーブ１の壁が、互いに軸方向にオフセット即ち変位し且つ半径方向に拡張させるための内部圧力に基づく拡張力が所定の閾値を越えた時破断する一連の破断可能の抑制リング２を備えていることである。
全てのリング２はほぼ同じ破断閾値を有している。
リングはその間に一定の間隔ｅでもって規則正しく離間している。
図１に示すようにリングはスリーブ１の全体には設けられていない。リングはノズル４と同じ端部−即ち上流端部−から始めて長さＬのスリーブの主部に対応する区分1Aのみに設けられている。
便宜上“上流”端部は井戸のヘツド即ち坑口から外部に開放された井戸の端部を意味し、そこより膨脹流体が導入される。
短い長さｌ（Ｌより非常に短い）を持つ反対側の（下流）端部における区分にはリングは設けられていない。
リング２はトロイダル（ドーナツ状）、即ち円形且つ円形断面を持つことが好ましく、しかしこれは必須ではない。
各リングは例えばプラスチック材料又は金属の繊維を数回巻回して形成することで有利に製造される。
リングはエラストマー材料に埋め込まれた時それに対して滑りを助長する物質で被覆されることが好ましい。この材料は例えばシリコーンオイルである。
このことはリングが破断した時スリーブの壁が引き裂かれる危険を減少し、且つ拡張したとき必要なスリーブの壁10の上を滑ることを容易にする。
次の数値は限定されない実施例として与えられる。
スリーブの全長Ｌ＋1:20m
リングを備えた区分1Aの長さL:18m
リングのない区分1Bの長さl:2m
リングの間隔e:10mm
マトリックスの壁10の厚み（半径方向）:10mm
予備成型体の壁30の厚み（半径方向）:10mm
膨脹前の（図２）マトリックス／予備成型体の直径:100mm
膨脹後（図３）のこの結合体の直径:160mm
図４にほぼ円筒形壁Ｐを有する石油掘削井に管を付設する初期段階を示す。
図において井戸は水平であるが、どの方向にでも適用でき典型的には垂直であるが、本発明では水平にある場合に適用する例にとどめる。
マトリックス／予備成型体の結合体の直径は、半径方向に拡張した状態の時井戸に管を付設するのに役立つように壁Ｐに対して予備成型体が適当に加圧することができるように選択される。
マトリックス／予備成型体の結合体はそれ自体で知られる道具を用いて井戸の外側から（図４の左から右へ）所定位置に押し込まれる。図４においてマトリックス／予備成型体の結合体は管を付設される壁Ｐの区域に面して必要とする位置に置かれる。
該結合体は井戸の中に存在する泥のような液体Ｂに浸漬される。
加圧下の水のような液体は井戸の坑口から管40とノズル４を介してスリーブ１の内部に導入される。
この加圧された流体はそれ自体周知の方法でスリーブ１とその周囲の予備成型体を拡張し、この結合体は壁Ｐに対して半径方向に拡張する。
リング２がなければこの拡張は非制御下で起こり、マトリックス／予備成型体の結合体の外側にかなりの量の液体Ｂが閉じ込められるポケットが生じ、管を付設する作業を妨害する危険が生ずる。
本発明による手はずによれば、スリーブに導入された加圧液体の圧力ｐ（図５の矢印Ｅ）により、下流の区域1Bが抑制リングがないのでまず拡張し、スリーブの残部1Aより大きな振幅で変形する。この拡張によりその周囲の予備成型体の区分により壁Ｐに対して押される区域1Bの軸方向寸法を減少させることになる。この拡張の間この区域の外側にある泥が、図５に矢印ｉで示すように上流及び下流方向に押し出される。
区域1Bの周囲に形成されるポケットの危険は、この区域の長さｌが短いので僅かである。
スリーブの内側に含まれる液体の圧力がより増加し、値ｐより大きいp1に増加すれば、下流端部のリング２は結局破断することになる。計算で容易に分かるようにこのリングは非常に大きな拡張力を受けることになる。一旦それが破断すると上流側の次のリングが破断していく。
従って全てのリングは下流から上流へ（図５、６の右から左へ）次々と漸進的に破断していく。
この制御された漸進的な前方への拡張のため、予備成型体と壁Ｐとの間の液体Ｂは矢印ｊで象徴的に示すように、下流から上流へ漸進的に押し出される。この排除により前述のような欠点のポケットの形成を避けることができる。
一旦全てのリングが破断し予備成型体が壁Ｐに対して全体的に押圧されると、それを加熱することにより重合化され、この操作はマトリックスの内に例えば高温液体を導入することにより、及び又はマトリックス又は予備成型体の中に埋め込まれた電気導体（電熱線）を用いてジュール効果により実施される。
膨脹圧力ｐとp1は例えば夫々５バール即ち５・105パスカルと15バール即ち15・105パスカルである。
図３にリング２が３個の破片2a、2b、2cに破断する間の拡張動作を示す。それは単一の点又は多数の破片に破断される。言うまでもないがリングはまた可撓性がなければならず、その曲率はリングが破断した後スリーブの曲率に応じて追随できる。前述の如くリングはその相対的滑りを助長するため−又はリングが破断した後スリーブの壁の材料に対してリングの破片が相対的滑りを助長するため被覆されることは利点がある。
予備成型体が凝固して強固な管３′になった後（図７）、マトリックスは図８の矢印Ｇで象徴的に示すよう引き出される。
今まで記述した実施の形態においては、マトリックス／予備成型体の結合体は半径方向のみに拡張される。言うまでもないが本発明は、PCT特許出願91/18180又はPCT特許出願94/25655号明細書（図6A、6B）に特に記載されているように最初長手方向に（Ｕ字形又はカタツムリ形状）に折られている結合体にも同様に適用できる。
図９に示す変形実施の形態のリング５は、図１、２について述べたリング２と類似のリング６を備えた長さＬの主区分5Aを有する。これらのリングは全てほぼ同様な比較的高い破断閾値を備えている。
下流端部区分5Bはセットになった類似のリング７を有するが、リング６より著しい低い破断閾値である。しかしながらこの破断閾値は無視することはできない。
スリーブ５は半径方向に無視できない圧力の流体を包含している。
これにより拡張する危険なく加圧流体をスリーブに導入できることにより、スリーブに剛性を分かち与えることができる。これは特に非直線井戸又は管にスリーブを導入するときに便利で、スリーブの剛性はその案内を容易にする。
スリーブが正しく配置され内圧が増加すると２段階に分かれて拡張し、まずリング７の漸進的破断により端部5Bが拡張し、次いで−より大きな圧力で−リング６の継続的破断により区分5Aの漸進的拡張が起こる。
スリーブ５は前述の実施の形態のスリーブ１のように予備成型体と結合されるが、図９を簡単にするためそれは図示していない。
同様に図10に概略的に示すスリーブ８は図示しない予備成型体と結合される。
スリーブのこの変形の実施の形態では、短い長さLbの中央区分8Bは抑制リングを備えていない。一方第１の実施の形態のリング２に類似するリング９は夫々長い端部8Aと8C（夫々の長さはLa、Lc）を備えている。
この変形実施の形態において、中央区分8Bが先ず拡張し、井戸又は管の壁に対して押圧し、スリーブの拡張はこの区分からスリーブの各端部に対して漸進的に伝幡して行き、同時に井戸又は管の内に含まれ液体を夫々の端部に対して押し出していく。
勿論中央区分8Bはリング９より破断閾値が低い図９で示したリング７に類似するリングを具備することもできる。
本発明により設けられた半径方向に変形可能なスリーブに付加される抑制リングは該スリーブの壁に埋込むことは必ずしも必要ではない。それはスリーブの外側に設けることもできる。
本発明のスリーブは本来の場所で硬化する当初可撓性ある予備成型体を拡張するのに使用する道具を必要としない。
本発明のスリーブは“パケット”型の密閉道具として同様に使用できる。
スリーブは予備成型体それ自体で製造でき、抑制リングは予備成型体の重合可能な樹脂内に、例えば２枚のプラスチック皮の間に埋込むこともできる。
【図１】
0003618354.tif 000002
【図２】
0003618354.tif 000003
【図３】
0003618354.tif 000004
【図４】
0003618354.tif 000005
【図５】
0003618354.tif 000006
【図６】
0003618354.tif 000007
【図７】
0003618354.tif 000008
【図８】
0003618354.tif 000009
【図９】
0003618354.tif 000010
【図１０】
0003618354.tif 000011